(57)【特許請求の範囲】
【請求項１】
貯留部から漏れた水を貯留する漏水貯留部と、その漏水貯留部の貯留水に対して検出作用する電気式の漏水検出部と、その漏水検出部への通電状態を制御し、かつ、その漏水検出部による検出情報に基づいて、漏水異常を判別する制御手段とが設けられている漏水検出装置であって、
前記制御手段が、前記漏水検出部へ通電する作用状態と前記漏水検出部への通電を停止する非作用状態とに周期的に繰り返し変更するように構成され、
前記制御手段が、前記漏水貯留部の容積、前記貯留部に水を供給する給水手段による給水量、および、前記漏水検出部により前記貯留水を検出可能な前記漏水貯留部の貯留水量に基づいて、前記漏水検出部への通電状態を、前記漏水貯留部からの溢水を防止可能な通電周期にて、前記作用状態と前記非作用状態とに繰り返し変更するように構成されている漏水検出装置。
【請求項２】
請求項１に記載の漏水検出装置を用いた食器洗浄機であって、
前記貯留部が、洗浄槽から構成され、前記漏水貯留部が、前記洗浄槽の下方に配設されるドレンパンから構成されている食器洗浄機。
【発明の詳細な説明】
【０００１】
【発明の属する技術分野】
本発明は、貯留部から漏れた水を貯留する漏水貯留部と、その漏水貯留部の貯留水に対して検出作用する電気式の漏水検出部と、その漏水検出部への通電状態を制御し、かつ、その漏水検出部による検出情報に基づいて、漏水異常を判別する制御手段とが設けられている漏水検出装置、および、その漏水検出装置を用いた食器洗浄機に関する。
【０００２】
【従来の技術】
上記のような漏水検出装置は、食器洗浄機などに適応され、貯留部としての洗浄槽などから漏れた水を貯留する漏水貯留部としてのドレンパンが設けられ、漏水検出部にて漏水貯留部に水が貯留されている状態を検出すると、制御手段が漏水異常と判別するものであり、漏水異常と判別すると、排水ポンプなどにより貯留部の水を排水し、漏水異常であることを報知するものである。
そして、例えば、特開平１０−１６０５４７号公報に示されているように、漏水検出部として一対の電極を備えて構成し、その一対の電極が貯留水にて導通されると、その一対の電極間には貯留水の抵抗が生じることを利用して、漏水貯留部に水が貯留されている状態を検出している。
また、この種の漏水検出装置は、漏水異常がいつ発生するかわからないことから、漏水検出部への通電は常時行い、食器洗浄機に適応した場合には、食器洗浄機の電源のＯＮ／ＯＦＦにかかわらず、漏水検出部への通電を常時行うようにしている。
【０００３】
【発明が解決しようとする課題】
上記の漏水検出装置では、漏水異常を常時判別できるように、漏水検出部への通電を常時行うようにしているが、漏水検出部への通電を常時行うと、それだけ消費電力も大きくなり、ランニングコストの上昇を招く虞がある。
また、このような漏水検出装置を食器洗浄機に適応した場合には、食器洗浄機の電源のＯＮ／ＯＦＦにかかわらず、漏水検出部への通電を常時行うようにしているので、運転中の消費電力だけでなく、待機電力も大きくなり、ランニングコストの上昇が顕著なものとなる虞がある。
【０００４】
本発明は、かかる点に着目してなされたものであり、その目的は、ランニングコストの低減を図りながら、漏水異常を判別することが可能となる漏水検出装置、および、その漏水検出装置を用いた食器洗浄機を提供する点にある。
【０００５】
【課題を解決するための手段】
この目的を達成するために、請求項１に記載の発明によれば、貯留部から漏れた水を貯留する漏水貯留部と、その漏水貯留部の貯留水に対して検出作用する電気式の漏水検出部と、その漏水検出部への通電状態を制御し、かつ、その漏水検出部による検出情報に基づいて、漏水異常を判別する制御手段とが設けられている漏水検出装置において、
前記制御手段が、前記漏水検出部へ通電する作用状態と前記漏水検出部への通電を停止する非作用状態とに周期的に繰り返し変更するように構成され、
前記制御手段が、前記漏水貯留部の容積、前記貯留部に水を供給する給水手段による給水量、および、前記漏水検出部により前記貯留水を検出可能な前記漏水貯留部の貯留水量に基づいて、前記漏水検出部への通電状態を、前記漏水貯留部からの溢水を防止可能な通電周期にて、前記作用状態と前記非作用状態とに繰り返し変更するように構成されている。
【０００６】
すなわち、制御手段が、漏水検出部への通電状態を、常時、漏水検出部へ通電する作用状態にするのではなく、その作用状態と漏水検出部への通電を停止する非作用状態とに周期的に繰り返し変更するように構成されているので、漏水検出部への通電状態を非作用状態に切り換えている間は漏水検出部への通電が停止されることになって、その分消費電力の低減を図ることが可能となる。
【０００７】
そして、漏水検出部への通電状態を非作用状態に切り換えているときに、漏水異常が生じていると、漏水貯留部に水が貯留していくことになるので、漏水貯留部から水が溢れ出すまでに、漏水検出部への通電状態を作用状態に切り換えて、漏水検出部を漏水貯留部の貯留水に対して検出作用させなければ、漏水異常を判別できないことになる。
したがって、漏水検出部への通電状態を作用状態と非作用状態とに繰り返し変更する周期を、例えば、貯留部から水が溢れないような極短時間とすることによって、非作用状態に切り換えているときに、漏水異常が生じても、漏水貯留部から水が溢れ出す前に、漏水検出部への通電状態を作用状態に切り換えることが可能となり、漏水異常を判別することが可能となる。
【０００８】
以上のことをまとめると、漏水検出部への通電状態を作用状態と非作用状態とに周期的に繰り返し変更しても、その周期を極短時間などにすることによって、漏水異常を判別することが可能となるので、ランニングコストの低減を図りながら、漏水異常を判別することが可能となる漏水検出装置を提供できるに到った。
【００１０】
又、請求項１に記載の発明によれば、制御手段が、漏水貯留部の容積、給水手段による給水量、および、漏水検出部により貯留水を検出可能な漏水貯留部の貯留水量に基づいて、漏水異常が生じても、漏水貯留部から水が溢れ出すことを防止可能な通電周期を求めることが可能となり、その通電周期にて漏水検出部への通電状態を作用状態と非作用状態とに繰り返し変更させることが可能となる。
したがって、制御手段が、実際の使用状況に基づいて、極力消費電力を低減でき、しかも、漏水異常を的確に判別できるような通電周期を求めて、その通電周期にて漏水検出部への通電状態を作用状態と非作用状態とに繰り返し変更することが可能となるので、極力消費電力を低減でき、しかも、漏水異常を的確に判別することが可能となる。
【００１１】
説明を加えると、漏水検出部への通電状態を作用状態と非作用状態とに繰り返し変更する周期を極力短くすれば、非作用状態に切り換えているときに、漏水異常が発生しても、漏水貯留部から水が溢れ出す前に作用状態に切り換えることができることとなるが、その周期を短くし過ぎると、消費電力をあまり低減できないことになる。
しかしながら、請求項１に記載のものでは、制御手段が、漏水貯留部の容積、給水手段による給水量、および、漏水検出部により貯留水を検出可能な漏水貯留部の貯留水量に基づいて、実際の使用状況に合った通電周期を求めることが可能となるので、極力消費電力を低減でき、しかも、漏水異常を的確に判別するための最適な通電周期を求めることが可能となって、極力消費電力を低減でき、しかも漏水異常を的確に判別することが可能となる。
【００１２】
請求項２に記載の発明によれば、請求項１に記載の漏水検出装置を用いた食器洗浄機において、前記貯留部が、洗浄槽から構成され、前記漏水貯留部が、前記洗浄槽の下方に配設されるドレンパンから構成されている。
【００１３】
すなわち、洗浄槽から漏れた水がドレンパンに貯留されることになり、そのドレンパンに貯留される水に対して漏水検出部が検出作用させるように漏水検出装置を食器洗浄機に備えさせることが可能となり、食器洗浄機における漏水異常を判別することが可能となる。
また、請求項１との協働作用により、漏水検出部への通電状態を作用状態と非作用状態とに周期的に繰り返し変更して、漏水検出装置に対する消費電力を低減し、ランニングコストの低減を図りながら、漏水異常を判別することが可能となるので、運転中の消費電力だけでなく、電源をＯＦＦ状態としたときの待機電力をも低減しながら、漏水異常を判別することが可能となる。
したがって、ランニングコストの低減を図りながら、漏水異常を判別することが可能となる食器洗浄機を提供できるに到った。
【００１４】
【発明の実施の形態】
本発明にかかる漏水検出装置を食器洗浄機に適応した例を図面に基づいて説明する。
この食器洗浄機は、図１および図２に示すように、前面部が開口された本体部１と、その本体部１に対して収納移動可能でかつ本体部１から引き出し移動可能な洗浄槽２と、洗浄槽２を本体部１に収納した状態で洗浄槽２の上面部を閉塞し、かつ、洗浄槽２を本体部１から引き出した状態で洗浄槽２の上面部を開口させる内蓋部３と、食器洗浄機の運転を制御する制御部Ｈなどから構成されている。
【００１５】
前記洗浄槽２には、洗浄槽２に水を供給する給水路４が接続され、その給水路４を開閉する給水弁４ａが設けられ、この給水路４および給水弁４ａが給水手段として作用するように構成されている。
そして、洗浄槽２の底部下方には、洗浄ポンプ５や、洗浄槽２内の湯水を排出路（図示せず）を通して排出する排水ポンプ１４などが設けられ、洗浄槽２の内部には、洗浄ノズル６やヒータ７などが配置され、それら洗浄ポンプ５、洗浄ノズル６やヒータ７などが洗浄槽２に一体的に組み付けられている。
また、洗浄槽２の内部には、食器などを収納載置する洗浄かご８が取り出し自在に収納され、洗浄槽２の水位に応じて上下動するフロート１２ａを備えて洗浄槽２の水位が設定水位であるか否かを検出する接触式の水位センサ１２が設けられている。
【００１６】
前記水位センサ１２は、洗浄槽２の底部と連通され、洗浄槽２の水位に応じて水位が変動するセンサ貯留部１２ｂと、そのセンサ貯留部１２ｂの水位に応じて上下動するフロート１２ａと、フロート１２ａの上下動によりＯＮ／ＯＦＦされる接触式のスイッチ部１２ｃなどから構成されている。
説明を加えると、スイッチ部１２ｃは、横軸芯回りで揺動するスイッチレバーと、そのスイッチレバーによりＯＮ／ＯＦＦされる接触式のマイクロスイッチとから構成され、フロート１２ａの上下動によりスイッチレバーが揺動してマイクロスイッチをＯＮ／ＯＦＦするように構成されている。
【００１７】
そして、洗浄運転などの運転が開始されると、給水弁４ａが開弁されて、給水路４を通して洗浄槽２に水が供給され、洗浄槽２の水位が設定水位以上になると、マイクロスイッチがＯＦＦされて、給水弁４ａが閉弁されるように構成されている。
【００１８】
前記本体部１の内側には、洗浄槽２を本体部１に対して収納移動および本体部１から引き出し移動させるための左右一対のスライド機構９が設けられ、このスライド機構９によって、洗浄槽２が水平姿勢またはほぼ水平姿勢の維持した状態で、本体部１に対して収納移動したり、本体部１から引き出し移動されるように構成されている。
前記洗浄槽２の前面部には、本体部１を開閉する扉１０が設けられ、その扉１０には、洗浄槽２を本体部１から引き出すための把手部１１が設けられ、洗浄槽２を本体部１に収納すると扉１０にて本体部１の前面部を閉塞するように構成されている。
そして、洗浄槽２を本体部１から引き出した状態で、食器などを洗浄かご８に収納したり取り出し可能とし、洗浄槽２を本体部１に収納した状態で、洗浄ポンプ５、洗浄ノズル６やヒータ７などを作動させて、洗浄運転や乾燥運転などの各運転を行うように構成されている。
【００１９】
前記内蓋部３は、図外のコイルスプリングやカム機構を利用して、洗浄槽２の収納方向への移動および引き出し方向への移動に連動して、収納方向および引き出し方向に移動させるとともに、洗浄槽２の上面部に対して上下動させて、洗浄槽２を収納位置まで移動させると、内蓋部３にて洗浄槽２の上面部を閉塞し、洗浄槽２を本体部１から引き出した状態で洗浄槽２の上面部を開口させるように構成されている。
なお、内蓋部３を、洗浄槽２の移動に連動して移動させるとともに、洗浄槽２の上面部に対して上下動させるための構成は、コイルスプリングやカム機構に限らず、例えば、リンク機構など、各種のものが適応可能である。
【００２０】
この食器洗浄機は、上述の如く、洗浄槽２を本体部１に対して収納移動可能でかつ本体部１から引き出し移動可能に構成したスライド式のものであり、洗浄槽２が収納位置に収納されている状態で、洗浄運転や乾燥運転などの各運転を行うように構成されている。
そして、この食器洗浄機には、貯留部として構成された洗浄槽２から水が漏れたり、水位センサ１２の異常などによりセンサ貯留部１２ｂから水が漏れたりする漏水異常を判別する漏水検出装置が設けられている。
【００２１】
以下、漏水検出装置について説明する。
この漏水検出装置は、洗浄槽２の下方に配設され、貯留部としての洗浄槽２や水位センサ１２のセンサ貯留部１２ｂなどから漏れる水を貯留する漏水貯留部としてのドレンパン１５と、そのドレンパン１５の貯留水に導通される一対の電極１７，１８を備えた電気式の漏水検出部１６と、その漏水検出部１６への通電状態を制御し、かつ、漏水検出部１６による検出情報に基づいて、漏水異常を判別する制御部Ｈなどから構成されている。
【００２２】
前記漏水検出部１６は、図３に示すように、絶縁体を連結させて形成された合成樹脂製の基体部１６ａと、各絶縁体にインサート成形されたほぼＶ字状の一対の電極１７，１８などから構成されている。
そして、一対の電極１７，１８の下端部分が基体部１６ａから露出するように形成され、ドレンパン１５に漏れた水が貯留されると、一対の電極１７，１８が貯留水にて導通されるように、基体部１６ａの端部などに形成されたネジ孔にネジを挿通させて基体部１６ａを固定するように構成されている。
【００２３】
この漏水検出装置は、ドレンパン１５に漏れた水が貯留されると、一対の電極１７，１８が貯留水にて導通され、その一対の電極１７，１８間には貯留水の抵抗が生じることになるので、一対の電極１７，１８が貯留水にて導通されることによる抵抗の変動を制御部Ｈにて検出することにより漏水異常を判別するように構成されている。
【００２４】
前記漏水異常を検出するための制御部Ｈにおける検出回路Ｈａについて説明する。
この検出回路Ｈａは、図４に示すように、端子Ａ、端子Ｂが、電線１９を介して、第１電極１７における接続部１７ａ，１７ｂの夫々に接続され、端子Ｃ、端子Ｄが、電線１９を介して、第２電極１８における接続部１８ａ，１８ｂの夫々に接続されている。
そして、端子Ａは、第１抵抗Ｒ１を介して制御電圧Ｖｃｃに接続され、端子Ｂは、第２抵抗Ｒ２を介してグランドＧＮＤに接続されている。
また、端子Ｃは、グランドＧＮＤに接続され、端子Ｄは、第３抵抗Ｒ３を介して制御電圧Ｖｃｃに接続されている。
【００２５】
そして、電線１９が断線したり、コネクタが脱落するなど第１電極１７の接続状態が異常であると、端子Ｂの電位が０Ｖとなり、また、電線１９が断線したり、コネクタが脱落するなど第２電極１８の接続状態が異常であると、端子Ｄの電位がＶｃｃとなるので、端子Ｂおよび端子Ｄの電位を検出することにより、第１電極１７および第２電極１８の接続状態が正常か否かを判別するように構成されている。
【００２６】
また、端子Ａの電位を検出することにより、ドレンパン１５に漏れた水が貯留する漏水異常を判別するように構成されている。
説明を加えると、ドレンパン１５に貯留水が存在せず、一対の電極１７，１８が導通されていない状態では、端子Ａの電位はＶｃｃ×Ｒ２／（Ｒ１＋Ｒ２）となる。
それに対して、ドレンパン１５に貯留水が存在して、一対の電極１７，１８が導通された状態では、端子Ａの電位はＶｃｃ×Ｒｂ／（Ｒ１＋Ｒｂ）となる。ただし、Ｒｂ＝Ｒａ×Ｒ２／（Ｒａ＋Ｒ２）であり、Ｒａは一対の電極１７，１８間の貯留水の抵抗である。
したがって、一対の電極１７，１８が貯留水により導通されると、一対の電極１７，１８間に貯留水の抵抗が生じて、端子Ａの電位が変動するので、その端子Ａの電位の変動を検出することによって、漏水異常を判別するように構成されている。
【００２７】
前記制御部Ｈは、食器洗浄機の電源のＯＮ／ＯＦＦにかかわらず、常時、漏水検出部１６への通電状態を、漏水検出部１６へ通電する作用状態と漏水検出部１６への通電を停止する非作用状態とに周期的に繰り返し変更するように構成されている。
そして、制御部Ｈは、ドレンパン１５の容積、給水路４を通して供給される給水量、および、漏水検出部１６による貯留水を検出可能なドレンパン１５の貯留水量に基づいて、漏水検出部１６への通電状態を、ドレンパン１５からの溢水を防止可能な通電周期にて、作用状態と非作用状態とに繰り返し変更するように構成されている。
【００２８】
具体的に説明すると、制御部Ｈは、ドレンパン１５の容積をＸ、給水路４を通して供給される最大水量をＹとし、漏水検出部１６による貯留水を検出可能なドレンパン１５の貯留水量が大きいほど大きくなるように設定される変数をαとして、下記の〔数１〕から通電周期Ｔを求めて、図５に示すように、漏水検出部１６への通電状態を非作用状態とする時間が通電周期Ｔとなるようにして、作用状態と非作用状態とに周期的に繰り返し変更するように構成されている。
【００２９】
【数１】
Ｔ＝Ｘ／Ｙ−α
【００３０】
なお、この場合、漏水検出部１６への通電状態を作用状態とする時間については、漏水検出部１６に通電を開始してから、制御部Ｈがドレンパン１５に水が貯留していることを検出できるまでの時間よりも長いものであればよく、通電周期Ｔやそれ以外の時間としてもよい。
すなわち、作用状態とする時間と非作用状態とする時間は、非作用状態とする時間が通電周期Ｔであれば、同じ時間でも、異なる時間でもよい。
【００３１】
説明を加えると、制御部Ｈが、漏水検出部１６への通電状態を、常時、漏水検出部へ通電する作用状態にするのではなく、その作用状態と漏水検出部１６への通電を停止する非作用状態とに周期的に繰り返し変更することによって、消費電力の低減を図り、ランニングコストの低減を図るように構成されている。
そして、漏水検出部１６への通電状態を非作用状態に切り換えているときに、漏水異常が生じていると、ドレンパン１５に水が貯留していくことになるので、漏水異常を判別するためには、ドレンパン１５から水が溢れ出すまでに、漏水検出部１６への通電状態を作用状態に切り換えて、漏水検出部１６をドレンパンの貯留水に対して検出作用させる必要があるので、ランニングコストの低減を図りながら、漏水異常を判別することが可能な通電周期Ｔを求めて、その通電周期Ｔにて漏水検出部１６への通電状態を作用状態と非作用状態とに繰り返し変更するように構成されている。
【００３２】
説明を加えると、漏水異常が発生すると、洗浄槽２に供給される水が漏れて、ドレンパン１５に貯留していくことになるので、基本的には、ドレンパン１５の容積と洗浄槽２に供給される最大給水量とから、ドレンパン１５から水が漏れるまでの時間を求めることが可能であり、その時間を通電周期Ｔとすることが可能である。
【００３３】
しかしながら、一対の電極１６，１７の設置位置によって、ドレンパン１５に水が貯留している状態を漏水検出部１６にて検出可能となるドレンパン１５の貯留水量が異なることになり、それに伴って、ドレンパン１５から水が漏れるまでの時間も変わってくることになるので、ドレンパン１５に水が貯留している状態を漏水検出部１６にて検出可能となるドレンパン１５の貯留水量をも含めて、通電周期Ｔを求めるようにしている。
【００３４】
このようにして、ドレンパン１５から水が溢れ出すまでに、漏水検出部１６への通電状態を作用状態に切り換えることが可能であり、かつ、極力消費電力を低減できるような通電周期Ｔを求めて、その通電周期Ｔにて漏水検出部１６への通電状態を作用状態と非作用状態とに繰り返し変更することによって、ランニングコストを効果的に低減しながら、しかも、漏水異常も的確に判別することが可能となる。
【００３５】
ちなみに、上記〔数１〕における変数αについては、漏水検出部１６による貯留水を検出可能なドレンパン１５の貯留水量に加えて、排水ポンプ１４の能力をも含めて設定することもでき、排水ポンプ１４の能力が大きいほど小さくなるように設定することが可能である。
【００３６】
そして、制御部Ｈは、漏水検出部１６への通電状態を作用状態に切り換えたときに、上述の如く、端子Ａの電位の変動を検出することによって、漏水異常を判別するように構成され、漏水異常と判別すると、排水ポンプ１４を作動させかつ漏水異常を報知する漏水異常報知を行うように構成されている。
【００３７】
説明を加えると、漏水異常と判別されると、洗浄ポンプ５や洗浄ノズル６など排水ポンプ１４以外の作動を停止させて、排水ポンプ１４だけを作動させて、洗浄槽２に貯留している湯水を排出路を通して排出するとともに、扉１０の前面部に設けられた操作部Ｓの異常ランプを点滅して漏水異常報知を行うように構成されている。
そして、排水ポンプ１４の作動により洗浄槽２の水位が下降し、水位センサ４のスイッチ部１２ｃがＯＮされてから設定時間が経過すると、排水ポンプ１４を停止させて、洗浄ポンプ５や洗浄ノズル６などの作動を停止させるロック状態を維持するように構成されている。
【００３８】
また、ドレンパン１５の貯留水を排出したり、食器洗浄機のメンテナンス作業などを行ったのち、制御部Ｈに対する電源のリセット操作が行われると、漏水異常を解除する解除操作が行われたとして、ロック状態を解除するように構成されている。
ちなみに、ドレンパン１５の貯留水は、ドレンパン１５に備えられた排出口の栓を抜くなどして、排出口を通して排出したり、ドレンパン１５を取り外して排出することが可能である。
【００４０】
〔別実施形態〕
（１）上記実施形態では、漏水検出装置における漏水検出部１６への通電状態を、常時、作用状態と非作用状態とに周期的に繰り返し変更するように構成しているが、例えば、操作部Ｓに通常モードと省エネモードとを切り換え自在なスイッチを設けて、制御部Ｈは、省エネモードが指令されているときには、漏水検出部１６への通電状態を作用状態と非作用状態とに周期的に繰り返し変更し、通常モードが指令されているときには、漏水検出部１６への通電状態を作用状態に維持するように構成して実施することも可能である。
【００４１】
（２）上記実施形態では、漏水異常報知として、操作部Ｓの異常ランプを点滅させるように構成されているが、設定時間が経過するごとに異常ランプの点滅を繰り返し行ったり、異常ランプの点滅に代えて、音声により漏水異常を報知するなど、各種の報知手段が適応可能である。
ちなみに、漏水異常報知は、その他の異常を報知する方法と異なる方法にて報知するのが好ましい。
【００４２】
（３）上記実施形態では、漏水検出部１６として、一対の電極１７，１８を備えて、その一対の電極１７，１８が導通されることによって、ドレンパン１５に水が貯留していることを検出するように構成しているが、漏水検出部１６としては、ドレンパン１５に水が貯留していることを検出することができる電気式のものであればよく、一対の電極１７，１８を備えたものに限るものではない。
また、上記実施形態では、検出回路Ｈａにて、第１電極１７および第２電極１８の接続状態が正常か否かを判別するとともに、漏水異常を判別するように構成されているが、漏水異常のみを判別するように構成して実施することも可能である。
【００４３】
（４）上記実施形態では、本発明にかかる漏水検出装置をスライド式の食器洗浄機に適応した例を示したが、スライド式以外の食器洗浄機にも適応可能である。
また、本発明にかかる漏水検出装置は、食器洗浄機に限らず、洗濯機など漏水を検出する必要があるものであればよく、食器洗浄機以外の装置にも適応可能である。
【図面の簡単な説明】
【図１】食器洗浄機の全体斜視図
【図２】洗浄槽を収納位置に収納した状態における食器洗浄機の側面図
【図３】漏水検出部を示す図
【図４】漏水検出部および検出回路を示す図
【図５】漏水検出部への通電状態を示す図
【符号の説明】
２              貯留部としての洗浄槽
１５            漏水貯留部としてのドレンパン
１６            漏水検出部
Ｈ              制御手段
【図１】
0004681168.tif 000002
【図２】
0004681168.tif 000003
【図３】
0004681168.tif 000004
【図４】
0004681168.tif 000005
【図５】
0004681168.tif 000006